(57)【要約】【課題】ジャンルやキーワードによってカテゴリー分類された電子番組表において、十字キーを使用してカーソルを共通するカテゴリーの番組へ移動する場合、チャンネルの移動や時間帯の移動などのために十字キーを数回押さなければならない。【解決手段】番組表表示画面１００においてリモコン１０９のカーソルモードキー１１２を押すことにより、十字キー１１１の操作はカーソル１０４で選択した選択番組セル１０５のカテゴリーと合致する共通番組セル１０６〜１０８にのみカーソル移動するため、少ないキー操作で番組表を探索することができる。【選択図】図１
2005229361.tif 000002
【特許請求の範囲】
【請求項１】
番組ごとにある定められたカテゴリーで分類された電子番組表において、リモコンの十字キーよりカーソルを移動して番組を選択するカテゴリー選択手段と、リモコンのカーソルモードキーにより前記十字キーを操作する際に前記カーソルで選択された番組と共通するカテゴリーを持つ番組へカーソルを移動するカテゴリー移動手段とを備えた番組表表示装置。
【請求項２】
カーソルモードキーで設定されている十字キーでカーソルを移動するカテゴリーを表示するカテゴリー表示手段を追加し、番組選択手段の代りにカーソルモードキーを押すごとにカーソルを移動するカテゴリーを変更するカテゴリー変更手段を備えた請求項１記載の番組表表示装置。
【発明の詳細な説明】
【技術分野】
【０００１】
本発明は、番組情報が付加された映像信号を受信する映像受信機などの番組受信表示装置に関するものである。
【背景技術】
【０００２】
従来の番組表表示装置として、電子番組表においてジャンル検索やキーワード検索により共通するカテゴリーの番組を検索し、検索した番組に色付けすることにより番組表を見やすく表示するものがある（例えば特許文献１の第１項、第８図や特許文献２の第１項、第１５図参照）。
【特許文献１】特開平１１−１９６３４３号公報
【特許文献２】特開２００３−３２５６８号公報
【発明の開示】
【発明が解決しようとする課題】
【０００３】
しかしながら、従来の番組表表示装置では十字キーを使用してカーソルを共通する番組へ移動する場合、チャンネルの移動や時間帯の移動などのために十字キーを数回押さなければならない。
【課題を解決するための手段】
【０００４】
前記課題を解決するために、本発明の番組表表示装置では、番組表においてリモコンのカーソルモードキーを押すことにより、十字キーの移動がカーソルで選択した番組と共通するカテゴリーの番組にのみに移動するため、十字キーの操作が少なくなる。
【０００５】
また、複数のカテゴリーを持つ番組において、カーソルモードキーを押すごとにカーソルを移動するカテゴリーを変更し、そのカテゴリーを表示することによりどのようなカテゴリーでカーソルを移動するかを認識することができる。
【発明の効果】
【０００６】
本発明によれば、カーソルモードキーを押すことによりジャンルや番組名や出演者名などのカテゴリー単位でカーソルを移動することができるため、少ないキー操作で番組表表示画面に表示された番組からユーザが嗜好する番組を素早く探索することができるという効果がある。
【発明を実施するための最良の形態】
【０００７】
（実施の形態１）
以下に、本発明の請求項１に記載された発明の実施形態について、図１〜図３を用いて説明する。
【０００８】
図１において、１００はあらかじめジャンル検索やキーワード検索などによりカテゴリー分類された番組を表示する番組表表示画面である。１０１は番組の時間帯を示す時間帯表示欄である。１０２は番組チャンネルを示すチャンネル表示欄である。１０３は個々の番組を表示する番組セルである。１０４は番組セルを選択するカーソルである。１０５はカーソル１０４で選択された選択番組セルである。１０６および１０７、１０８は選択番組セル１０５と共通するカテゴリーを持つ共通番組セルである。１０９は番組表表示画面１００を操作するリモコンである。１１０は番組表表示画面１００を表示ＯＮ／ＯＦＦする番組キーである。１１１はカーソル１０４を上下左右に動かす十字キーである。１１２は十字キー１１１の操作モードとしてカテゴリー移動をＯＮ／ＯＦＦするカーソルモードキーである。１１３は選択番組セル１０５の番組内容を表示する番組決定キーである。
【０００９】
かかる構成によれば、番組キー１１０により番組表表示画面１００が表示される。この場合、カーソル１０４は現在視聴している番組を選択番組セル１０５として選択する。つぎに、カーソルモードキー１１２を１回押すとカーソル１０４が点滅する。これは十字キー１１１によるカーソル１０４の移動モードがカテゴリー単位であることを示す。また、再度カーソルモードキー１１２を１回押すとカーソル１０４の点滅は止まり十字キー１１１による移動は通常の上下左右の移動となる。つぎにカーソル１０４が点滅している状態で十字キー１１１の右を１回押すとカーソル１０４は共通番組セル１０８へ移動する。これは番組表表示画面１００に表示されている共通番組セル１０６、１０７、１０８のうち選択番組セル１０５の右側である共通番組セル１０８を選択する。さらに続いて十字キー１１１の右を１回押した場合は、番組表表示画面１００には共通番組セル１０８より右側にカテゴリーが共通する番組セル１０３が表示されていないため、たとえば表示されていない１２チャンネルの番組セル１０３にカテゴリーが共通するものがあれば、１２チャンネルを表示した番組表表示画面１００を再表示し共通番組セル１１４にカーソル１０４を移動する（図２参照）。そして番組決定キー１１３を押すとカーソル１０４で選択された共通番組セル１１４の番組内容が表示される（図３参照）。このように本実施例１ではカーソルモードキーを押すことにより十字キー１１１によるカーソル１０４を選択番組セル１０５に共通するカテゴリーに合致する共通番組セル１０６、１０７、１０８、１１４へ少ない操作で移動することができる。
【００１０】
（実施の形態２）
以下に、本発明の請求項２に記載された発明の実施形態について、図４を用いて説明する。
【００１１】
図４において、１００から１１３は実施例１と同じである。１１４はカーソルモードキー１１２を押した場合のカーソル１０４の移動カテゴリーを表示するカテゴリー表示欄である。
【００１２】
かかる構成によれば、動作の流れは実施例１と同様であるが、それぞれの番組セル１０３がジャンルや番組名や出演者名など複数のカテゴリーで分類されていた場合において、カーソルモードキー１１２を１回目に押した場合は、カテゴリー表示欄１１４には「ジャンル：ドラマ」のように選択番組セル１０５のジャンルが表示される。これにより十字キー１１１ではカーソル１０４はドラマのジャンルに合致する番組セル１０３に移動する。つぎに、２回目のカーソルモードキー１１２を押すとカテゴリー表示欄１１４には「番組名：  △△△△△△」のように選択番組セル１０５の番組名が表示される。これにより十字キー１１１ではカーソル１０４は番組名に合致する番組セル１０３に移動する。さらに３回目のモードキーを押すとカテゴリー表示欄１１４には「出演者：  山田太郎」のように選択番組セル１０５の番組出演者名が表示される。これにより十字キー１１１ではカーソル１０４は出演者に合致する番組セル１０３に移動する。そして４回目のモードキー１１２の入力ではカテゴリー表示欄１１４には何も表示されずカーソル１０４は通常の上下左右の移動となる。このようにカテゴリー表示欄１１４にカテゴリー内容が表示されるため、カーソル１０４の移動がどのようなカテゴリーで移動するのかを即座に認識することができる。
【００１３】
なお、実施例１と実施例２においてカーソルモードキー１１２を押すたびに、「ジャンル」、「番組名」、「出演者名」のカテゴリーで移動するとしたが、選択番組セル１０５に登録されているカテゴリーであればいずれのカテゴリーでもよい。また、カテゴリーごとの移動の場合にはカーソル１０４が点滅するとしたが、文字反転など他の番組セル１０３と区別できればよい。さらに、実施例１と実施例２では十字キー１１１によってカーソル１０４を移動したが、カテゴリー単位の移動専用のキーを追加しそれで移動させてもよい。また、実施例１において番組決定キー１１３により番組内容を表示するとしたが、その番組が現在放送中であればその番組に切り替える動作をしてもよいし、視聴予約や録画予約の画面を表示してもよい。
【産業上の利用可能性】
【００１４】
本発明に係る番組表表示装置は、カーソルモードキーを押すことによりジャンルや番組名や出演者名などのカテゴリー単位でカーソルを移動することができるため、少ないキー操作で番組表表示画面に表示された番組からユーザが嗜好する番組を素早く探索することができるという効果を有し、番組情報が付加された映像信号を受信する映像受信機などの番組受信表示装置に有用である。
【図面の簡単な説明】
【００１５】
【図１】本発明の実施の形態１における画面表示構成図とリモコンボタン配置図
【図２】本発明の実施の形態１におけるカーソル移動結果の画面表示構成図
【図３】本発明の実施の形態１における番組内容の画面表示構成図
【図４】本発明の実施の形態２における画面表示構成図とリモコンボタン配置図
【符号の説明】
【００１６】
１００    番組表表示画面
１０１    時間帯表示欄
１０２    チャンネル表示欄
１０３    番組セル
１０４    カーソル
１０５    選択番組セル
１０６，１０７，１０８    共通番組セル
１０９    リモコン
１１０    番組キー
１１１    十字キー
１１２    カーソルモードキー
１１３    番組決定キー
【図１】
2005229361.tif 000003
【図２】
2005229361.tif 000004
【図３】
2005229361.tif 000005
【図４】
2005229361.tif 000006